(57)【要約】      （修正有）【課題】無感の出力と有感の出力の２種類の電気刺激を併用し、正常な動作を使用者が知ることができる装置を提供する。【解決手段】電流刺激装置は、筋収縮を起こさせない微弱な電気信号を出力する出力部を備え、電気信号は、複数の第４パルス群であって、第４パルス群は第１パルス群と、第２パルス群と第３パルス群で構成されるものであり、第１パルス群は複数のパルスの振幅が徐々に大きくなるパルス群であり、第２パルス群は複数のパルス群の振幅が第２パルス群においては一定であるパルス群であり、第３パルス群は複数のパルスの振幅が徐々に小さくなるパルス群であって、出力部は第２パルス群の出力として、前記電気信号が付与された者が、電気信号を感じる第１出力の後に電気信号を感知できない第２出力を使用する。【選択図】図１
2019022620.tif 000002
【特許請求の範囲】
【請求項１】
筋収縮を起こさせない微弱な電気信号を出力する出力部を備え、
前記電気信号は、第１パルス群と、第２パルス群と第３パルス群を少なくとも含み、
前記第１パルス群は、第１出力の第１パルスと、前記第１出力よりも大きな出力により前記第１パルスの後に出力されるパルスを少なくとも含み、
前記第２パルス群は、第２出力の複数のパルスで構成され、
前記第３パルス群は、第３出力の第３パルスと、前記第３出力よりも小さな出力により前記第３パルスの後に出力されるパルスを少なくとも含み、
前記出力部は前記第２出力として、前記電気信号が付与された者が、前記電気信号を感じる第１出力の後に前記電気信号を感知できない第２出力を使用する電流刺激装置。
【請求項２】
筋収縮を起こさせない微弱な電気信号を出力する出力部を備え、
前記電気信号は、第１パルス群と、第２パルス群と第３パルス群で構成されるものであり、
前記第１パルス群は、第１出力の第１パルスと、前記第１出力よりも大きな出力により前記第１パルスの後に出力されるパルスを少なくとも含み、
前記第２パルス群は、第２出力の複数のパルスで構成され、
前記第３パルス群は、第３出力の第３パルスと、前記第３出力よりも小さな出力により前記第３パルスの後に出力されるパルスを少なくとも含み、
前記出力部は前記第２出力として、前記電気信号が付与された者が、前記電気信号を感じる第１出力の前に前記電気信号を感知できない第２出力を使用する電流刺激装置。
【請求項３】
筋収縮を起こさせない微弱な電気信号であって前記電気信号を与えられた者が前記電信号を感知できない第２出力の電気信号を出力する出力部を備え、
前記電気信号は、第１パルス群と、第２パルス群と第３パルス群で構成されるものであり、
前記第１パルス群は、第１出力の第１パルスと、前記第１出力よりも大きな出力により前記第１パルスの後に出力されるパルスを少なくとも含み、
前記第２パルス群は、第２出力の複数のパルスで構成され、
前記第３パルス群は、第３出力の第３パルスと、前記第３出力よりも小さな出力により前記第３パルスの後に出力されるパルスを少なくとも含み、
前記出力部は前記第２出力として、前記第２出力に代えて、前記電気信号を感知できるような第１出力による前記電気信号を一時的に使用する電流刺激装置。
【発明の詳細な説明】
【技術分野】
【０００１】
本発明は、人間が感知できない微弱電流を発生させる電流刺激装置に関し、より詳しく述べると経皮を電流刺激することにより筋出力の向上または低下をさせる電流刺激装置に関する。
【背景技術】
【０００２】
電流刺激により身体機能を回復させる装置として、筋収縮をさせることで筋出力を向上させるＥＭＳが知られている。ＥＭＳとは、Ｅｌｅｃｔｒｉｃａｌ  Ｍｕｓｃｌｅ  Ｓｉｍｕｌａｔｉｏｎのことであり、外部から電気的に運動神経を刺激することで、その神経に繋がる筋肉を収縮させたり弛緩させたりして、効率的な筋力トレーニングを行わせる装置である。
【０００３】
筋組織に対し強度の負荷をかけ、筋繊維を破壊した後に修復することで筋肉を肥大化し、筋出力を向上させることで身体の運動機能障害を回復させる装置である。それゆえ、ＥＭＳは筋収縮を引き起こすような強い電流刺激を与える。しかしながら、筋肉に突然強度の電流刺激を与えると刺激が強すぎるので、設定電流へ徐々に電流を上げていく「電流のかけ方」に様々な工夫がされている。（例えば引用文献１）
【０００４】
ＥＭＳは強い電流刺激により筋肉を収縮させたり弛緩させたりして、効率的な筋力トレーニングを行わせ、筋肉を肥大化させるものである。その結果として筋出力が向上するものであり、筋が肥大化するまでは筋出力を向上させることはできない。つまり、即時的に筋出力を向上させることはできないという課題があった。
【０００５】
一方、即時的に筋出力を向上又は低下させることができる、或いは、医療機関に罹ることなく簡易に過度な筋収縮を弛緩させることができる技術がある（例えば引用文献２）。この技術では複数の矩形パルスで構成され電流パルス群を人体に供給するに際し、電流を徐々に上昇させるランプアップタイムと前記設定電流から徐々に電流を下降させるランプダウンタイムとを制御し、特にランプアップタイムとランプダウンタイムを１秒より大きくすることで筋出力を向上させ、逆に１秒より小さくすることで筋出力を低下させることができる。ここで使用するパルスの出力は、例えば４５０μＡであって、人間が電気刺激を感知できない出力（以後、無感の出力）が使用されている。この無感の出力ではパルスによる痛みはもちろん、筋肉の収縮が発生することも、パルスが供給されていることも人は感じない。
【先行技術文献】
【特許文献】
【０００６】
【特許文献１】特開２００９−２２５８１０号公報
【特許文献２】特開２０１６−２０２４４５号公報
【発明の概要】
【発明が解決しようとする課題】
【０００７】
上記のように無感の出力を使用すると、使用者が出力を感知できないので、使用者がパルス供給を行ったつもりでも、実質的にパルスが正常に供給されないという場合が発生する。例えば、スイッチを押し損ねた場合、装置の操作を誤った場合、装置が故障している場合、バッテリの残量が少なく途中で停止するなど動作が不安定となる場合、ケーブルが外れた場合、ケーブルが断線した場合、使用する導子が劣化等によって正常にパルスを人体に供給できなくなった場合等である。これらの場合には実質的にパルスが人体に供給されていない状態であっても、使用者がそれに気づくことはまれであり、ほとんどの場合において使用者はそれに気づくことができず、多くの使用者は実質的にパルスが供給されない状態で装置を使用し続けて、一向にその効果が得られない等の問題があった。
【課題を解決するための手段】
【０００８】
（１）上記した課題を解決するために本発明において以下のような手段を講じた。即ち本発明の電流刺激装置は、筋収縮を起こさせない微弱な電気信号を出力する出力部を備え、前記電気信号は、第１パルス群と、第２パルス群と第３パルス群を少なくとも含み、前前記第１パルス群は、第１出力の第１パルスと、前記第１出力よりも大きな出力により前記第１パルスの後に出力されるパルスを少なくとも含み、前記第２パルス群は、第２出力の複数のパルスで構成され、前記第３パルス群は、第３出力の第３パルスと、前記第３出力よりも小さな出力により前記第３パルスの後に出力されるパルスを少なくとも含み、前記出力部は前記第２出力として、前記電気信号が付与された者が、前記電気信号を感じる第１出力の後に前記電気信号を感知できない第２出力を使用することを特徴としている。
【０００９】
（２）さらに本発明の電流刺激装置は、筋収縮を起こさせない微弱な電気信号を出力する出力部を備え、前記電気信号は、第１パルス群と、第２パルス群と第３パルス群を少なくとも含み、前前記第１パルス群は、第１出力の第１パルスと、前記第１出力よりも大きな出力により前記第１パルスの後に出力されるパルスを少なくとも含み、前記第２パルス群は、第２出力の複数のパルスで構成され、前記第３パルス群は、第３出力の第３パルスと、前記第３出力よりも小さな出力により前記第３パルスの後に出力されるパルスを少なくとも含み、前記出力部は前記第２出力として、前記電気信号が付与された者が、前記電気信号を感知できる第１出力の前に前記電気信号を感知できない第２出力を使用することを特徴としている。
【００１０】
（３）さらに本発明の電流刺激装置は、筋収縮を起こさせない微弱な電気信号であって前記電気信号を与えられた者が前記電信号を感知できない第２出力の電気信号を出力する出力部を備え、前記電気信号は、第１パルス群と、第２パルス群と第３パルス群を少なくとも含み、前前記第１パルス群は、第１出力の第１パルスと、前記第１出力よりも大きな出力により前記第１パルスの後に出力されるパルスを少なくとも含み、前記第２パルス群は、第２出力の複数のパルスで構成され、前記第３パルス群は、第３出力の第３パルスと、前記第３出力よりも小さな出力により前記第３パルスの後に出力されるパルスを少なくとも含み、前記出力部は前記第２出力として、前記第２出力に代えて、前記電気信号を感知できるような第１出力による前記電気信号を一時的に使用することを特徴としている。
【発明の効果】
【００１１】
本発明は、無感の出力と、人間が電気刺激を感知できるような出力（以後、有感の出力）を併用するので装置の正常な動作を使用者が容易に知ることができ、使用者が安心して使用できる使い勝手のよい装置を提供できる。
【図面の簡単な説明】
【００１２】
【図１】本発明にかかる電流刺激装置１００の正面図である。
【図２】本発明にかかる電流刺激装置のブロック図である。
【図３】本発明にかかる電流刺激装置１００の出力の模式図である。
【図４】本発明にかかる電流刺激装置１００の出力の制御を示す説明図である。
【図５】本発明にかかる電流刺激装置１００の出力の制御を示す説明図である。
【発明を実施するための形態】
【００１３】
通常、筋の収縮は、脳が神経を通じて動かしたい筋に命令を出し、その命令を受けて筋が受けることによって生じる。通常は、最大の命令でも筋の約６０％〜７０％の筋力しか発揮されないと考えられている。何故なら、筋の持つ筋力を１００％発揮すると、腱や骨、関節、さらには筋自身に負担がかかりすぎるため、一種の防衛措置として１００％の命令がされない様に制御されている。  この筋に伝わる約６０％〜７０％の命令量を増やす事で筋出力を向上させ、命令量を減らす事で筋出力を低下させると考えられる。本明細書において、この筋に伝わる約６０％〜７０％の命令量を増やす事を促通と定義し、命令量を減らす事を抑制と定義する。つまり、促通により筋出力が向上し、抑制では筋出力を低下させる。
【００１４】
図１に本発明を施した電流刺激装置１００を示す。電流刺激装置１００は筋収縮を起こさせない微弱電流（マイクロカレント）を発生させて、経皮的に刺激を与えることで、その神経に付随する筋肉の筋出力を向上又は低下させことができる、図に示すように、電流刺激装置１００は微弱電流を発生させる本体１０と、その電流を印加する導子１４及び本体１０と導子を電気的に接続するケーブルから構成される。
【００１５】
電流刺激装置１００の正面には、各種スイッチ（操作スイッチ）が設けられている。１１は電源スイッチである。１２はスタート／ストップスイッチである。また、電流刺激装置１００の下面には導子１４を接続する出力口が設けられている。
【００１６】
出力モードとしては、筋出力を向上させる第１出力モードと、筋出力を低下させる第２出力モードがある。この出力モードは装置ごとに固定したモードとしてもよいし、両方のモードをユーザーが選択するものとしてもよい。
【００１７】
図２は、本体１０のブロック図を示す。本体１０は制御部２０２、後述のパルス群を生成する出力部である波形生成部２０４、タイマ２０７、ユーザーＩＦ部２０１、電源部２０６、バッテリ２０３等から構成される。制御部２０２はＣＰＵやメモリの他、各部と接続する為のインターフェース部を内蔵し、電流刺激を与える電気信号を生成する波形生成部２０４、一定時間の出力を計時するタイマ２０７、電源スイッチ１１やスタート／ストップスイッチ１２に接続されたユーザーＩＦ部２０１に接続されてこれらを制御する。バッテリ２０３から供給される電力は電源部２０６によって所定の一定電圧値、例えば５Ｖに制御されて制御部２０２を介して各部に供給される。
【００１８】
波形生成部２０４の生成するパルスは、筋収縮を起こさせないレベルの電流パルスであって、具体的には２０ｍＡ以下の電流であり、本実施例は出力を２０ｍＡ以下としているので筋収縮を起こすことが無い。
【００１９】
次に制御部２０２について述べる。制御部２０２は後述のランプアップタイムやホールドタイム、ランプダウンタイムやオフタイムについての時間制御もおこなっている。尚、制御部２０２に内蔵されているメモリは制御プログラム用ＲＯＭや作業用ＲＡＭ等の他、パルスのパラメータやその他のパラメータを格納している。
【００２０】
電流刺激装置１００は次のように使用される。使用者が導子１４を、促通や抑制の効果を得たい筋肉の上、或いはその近傍(以下、所定部位という)に貼り付ける。導子１４を所定部位に貼り付けた後、電源スイッチ１１を押して電源を投入し装置本体を起動させ、スタート／ストップスイッチ１２を押すと、その情報はユーザーＩＦ部２０１を介して制御部２０２に送られ、制御部２０２は後述する電気信号を出力するように波形生成部２０４に指示を出し、振幅その他の制御を行う。制御部２０２からの情報や指示に基づいて波形生成部２０４によって出力される電気信号はケーブルに接続されている導子１４に供給される。波形生成部２０４に対して出力を指示したことに同期してタイマ２０７に計時を指示し、タイマ２０７が所定時間、例えば５分の計測を開始する。タイマ２０７の計測に関する情報、例えば所定の時間が経過した情報は制御部２０２にフィードバックされて、当該フィードバックにより、制御部２０２は波形生成部２０４への電力供給を停止することによって電気信号の出力を停止する。
【００２１】
ここで、最初にスタート／ストップスイッチ１２が押されることによって第１出力モード(後述)が開始される。続けてスタート／ストップスイッチ１２を押すと第２出力モード(後述)が開始され、さらにスタート／ストップスイッチ１２を押すとパルスの出力は停止される。本明細書において、パルスを人体或いは所定部位に付与することを施術と称する。
【００２２】
尚、本体１０は１チャネル、即ち電極パッド２枚を一組とする導子１４を１組使用する構成であるが２チャンネル以上とし、チャンネルごとにモード選択スイッチを設けてチャンネルごとにモードを選択することができるような構成にしてもよい。
【００２３】
導子１４は公知技術の導子でよく、例えば粘着パットによる導子でも構わない。或いは吸引カップを使用して導子を吸引力によって所定部位に吸着させてもよく、或いはベルト等によって所定部位に巻きつけるようにして固定してもよい。
【００２４】
図３は電流刺激装置１００の出力するパルスの一例を説明した図である。この図は、電流刺激装置１００が出力するパルスを模式的に示しており、横軸は時間で縦軸は電流値を示す。このように、電流刺激装置１００は、例えば（ａ）のように、出力が徐々に大きくなる第１パルス群と一定の出力が維持されている第２パルス群と出力が徐々に小さくなる第３パルス群から構成される第４パルス群を出力する。換言すると、第１パルス群は、パルス群を構成する各パルスの振幅が徐々に大きくなるパルス群である、又は第１出力の第１パルスと当該第１出力よりも大きな出力により当該第１パルスの後に出力されるパルスを少なくとも含むパルス群、或いは第１振幅の第１パルスと当該第１振幅よりも大きな振幅により当該第１パルスの後に出力されるパルスを少なくとも含むパルス群と言える。第２パルス群は、複数のパルス群の振幅が第２パルス群においては一定であるパルス群である、又は第２出力の複数のパルスで構成されるパルス群、或いは第２振幅の複数のパルスで構成されるパルス群であると言える。第３パルス群は、パルス群を構成する各パルスの振幅が徐々に小さくなるパルス群である、又は第３出力の第３パルスと当該第３出力よりも小さな出力により当該第３パルスの後に出力されるパルスを少なくとも含むパルス群、或いは第３振幅の第３パルスと当該第３振幅よりも小さな振幅により当該第３パルスの後に出力されるパルスを少なくとも含むパルス群と言える。各パルス群では、一例として周波数５０Ｈｚ、パルス幅２００μｓｅｃの矩形パルスが使用される。振幅は各パルス群によって図のように変化するが、第２パルス群の振幅として例えば４５０μＡを使用している。ここでＴ１は第１パルス群の継続時間、即ちランプアップタイムを、Ｔ２は第２パルス群の継続時間、即ちホールドタイムを、Ｔ３は第３パルス群の継続時間を、即ちランプダウンタイムを、Ｔ４は第４パルス群の休止時間、即ちオフタイムを示している。同図（ｂ）は（ａ）をさらに模式的に示した図であり、第１パルス群と第３パルス群を三角形で示し、第２パルス群を四角形で示している。
【００２５】
第１出力モードについて説明する。第１出力モードは、筋出力を向上させるモードであり、ランプアップタイムとランプダウンタイムを１秒より大きくした出力モードである。つまり、設定した電流まで１秒より長い時間をかけて徐々上げていき、その設定した電流にて数秒間出力した後、１秒より長い時間をかけて徐々に電圧を下げていく制御である。このような制御は制御部２０２にて行う。
【００２６】
第２出力モードは、筋出力を抑制するモードであり、ランプアップタイムとランプダウンタイムを１秒より小さくした出力モードである。つまり、設定した電流まで１秒より短い時間で出力を上げていき、その電流にて数秒間出力した後、１秒より短い時間で電流を下げていく制御である。このような制御は制御部２０２にて行う。
【００２７】
第１出力モードを使用すると促通の効果がえられ、第２出力モードを使用すると抑制の効果が得られる。使用者がどちらの効果を必要とするかによって第１出力モードを使用するか第２出力モードを使用するか決定することができる。ここでは第１出力モードが使用されたとして説明する。但し第２出力モードが使用された場合であっても本発明に対する以降の説明は同様に適用される。
【００２８】
ランプアップタイムとランプダウンタイムとしては、好ましくは１．１秒から４．０秒の範囲で促通の効果があり、特に促通の効果があるのは１．１秒から３．０秒の範囲である。一方、ランプアップタイムとランプダウンタイムとしては、好ましくは０．１から０．９秒の範囲で抑制の効果がある。
【００２９】
図４は本発明による第４パルス群の出力の制御を示している。横軸は時間で縦軸は電流値を示している。ここでは第４パルス群の出力として第２パルス群の振幅を使用して説明する。第２パルス群の振幅を制御することによって、第１パルス群の最大の振幅値と第３パルス群の最大の振幅も連動して制御される。この様子を図３（ｂ）に示している。この図における左側の第４パルス群Ｘは第２パルス群の振幅が小さい場合を示し、右側の第４パルス群Ｙは第２パルス群の振幅が大きい場合を示している。即ち、第２パルス群の振幅が変更されても、第１パルス群における振幅の変化の割合、及び第３パルス群における振幅の変化の割合が制御されるだけでＴ１やＴ３は変化しないように制御されて、波形生成部２０４が電気信号としてこれらの第４パルス群を出力する。
【００３０】
本発明においては図４（ａ）のように電気信号の出力開示時に一時的に第１出力が使用されその後、第２出力が使用される。即ち施術開始直後は第１出力である出力１で出力されるが、出力開始から所定時間の時間Ｔ４１経過後から出力は第２出力である出力２に変更される。換言すれば、波形生成部２０４は第２パルス群の出力として第１出力の後に第２出力を使用して電気信号を生成する、或いは第２出力に代えて第１出力を一時的に使用して電気信号を生成する。即ち、本発明においては、有感の出力の後に無感の出力が行われ、所定部位には有感のパルスの後に無感のパルスが供給される。
【００３１】
出力２は上記の如く４５０μＡであるが、出力１としては一例として３ｍＡとしている。この出力１は人間がパルスを供給されていることを気づくことができるが、筋収縮を起こさせない範囲の出力であればよい。以後、人間がパルスを供給されていることを気づくことができるが、筋収縮が生じない出力のパルスを有感パルスといい、逆にパルスを供給されていることすら気付かないような出力のパルスを無感パルスという。尚、有感パルスは筋収縮を起こさせないだけでなく、パルス供給による痛みを感じないパルスであればさらに望ましく、即ち、使用者が不快に感じない程度の出力であるのが望ましく、具体的には数ｍＡ以下とするのがよい。所定部位が比較的敏感な部分であれば、例えば出力１として９５０μＡ程度としてもよい。当該９５０μＡや３ｍＡを使用した第４パルス群を使用した電気信号のような有感の電気パルスを無感パルスと併用しても、当該有感パルスのようにその出力がこのように比較的小さい又はパルスの供給が比較的短時間である場合には無感パルスと同様な効果がえられ、無感パルスによる施術を阻害することはない。例えば有感パルスの使用が無感パルスの効果を低下させたり、有感パルスの使用した時間に応じて施術時間を長くしたり、有感パルスを使用することによる不具合や弊害はない。従って有感パルスを一時的に使用することは無感パルスによる施術をより効果的に行うことにつながる。
【００３２】
時間Ｔ４１は、一例として２０秒が使用される。このＴ４１はパルス供給が開始されたこと、即ち施術が開始されたことを使用者に気づかせるのに十分な長さであればよい。但し、長すぎる場合は、例え有感パルスが痛みも与えないし筋収縮も発生させないといえども、使用者によっては不快と感じる可能性もあり、長すぎると望ましくない。
【００３３】
出力１は使用者が不快に感じない程度の出力であるので、Ｔ４１が逆に短すぎる、例えば１つの第４パルス群にだけ有感パルスが使用されるなら使用者が出力に気が付かない場合もあり望ましくない。以上からＴ４１は１０秒から４０秒程度が望ましい。
【００３４】
無感の出力をのみが使用される場合は、使用者が出力を感知できず、スタート／ストップスイッチ１２の押し損ねや、バッテリの残量が少ないことに起因して適切な出力がされていないことを知ることができず、それに使用者が気づかない不具合がある。ところが上記のように出力開始後に有感の出力を使用することで、使用者はパルスが所定部位に供給されていることを容易に知ることができ、逆に出力開始直後に有感の電気刺激が得られない場合に使用者は容易に適切な出力がされていないことを知ることができ、当該不具合を容易に回避できる。例えばスイッチ操作を誤ったことや導子１４が劣化していることに容易に気づいて操作をやり直したり或いは導子１４の貼り直しや交換などを行ったり等の改善が即座に行える。さらに無感の出力では使用者が電気刺激を感じることができないので、本当に電気信号が出力されているか、即ち装置が正常に動作しているか疑問を抱く場合がある。ところが一時的な有感の電気刺激である施術開始時の有感パルスが使用される為に装置の正常な動作を使用者が容易に知ることができ、出力を実感することによって、その効果を向上させることができる。
【００３５】
図４（ｂ）は本発明における他の例を示している。同図（ａ）はＴ４１経過後にパルスの出力が出力１から出力２に直接的に変更されている。一方、同図（ｂ）はパルスの出力は出力１から出力２に徐々に、又は段階的に変化する、即ち第４パルス群の出力が段階的に低下させる制御を模式的に示している。例えばパルスの出力は出力１においては３ｍＡであったが、時間Ｔ４１経過後に２．５ｍＡ、２ｍＡ、１．５ｍＡ、１ｍＡと段階的に制御して最終的に出力２である４５０μＡとする制御でもよい。同図（ａ）のような制御では、使用者はＴ４１経過後に突然有感パルスによる電気刺激を感じなくなるが、同図（ｂ）の制御を使用した場合は有感パルスによる電気刺激を徐々に感じなくなるので使用者はよりストレスを感じないのでより望ましい。
【００３６】
本発明による他の実施例を示す。有感の出力は、上記では施術開始時に使用されるがこれに限定されず、有感の出力は施術終了時、即ち出力停止前（出力停止時）にも使用することができる。例えば出力が終了する３０秒前から無感の出力の代わりに有感の出力に切り替えることによって間もなく出力が終了することを使用者に知らせることができる。無感の出力が使用される場合は、いつ出力が終了したか使用者が知ることができないとう不具合があったが、出力の終了間際に有感の出力が使用されるので使用者は容易にその終了を知ることができる。
【００３７】
図５はこの場合の出力制御を示している。まず、（ａ）は施術が終了するＴ５１前にパルスの出力が出力２から出力１に変更される制御を示している。同図（ｂ）ではパルスの出力は出力２から出力１に徐々に、或いは段階的に変化する。換言すれば、波形生成部２０４は第２パルス群の出力として第１出力の前に第２出力を使用して電気信号を生成する、或いは第２出力に代えて第１出力を一時的に使用して電気信号を生成する。
【００３８】
同図（ｂ）の制御では、例えばパルスの出力は出力２においては４５０μＡであったが、出力終了の時間Ｔ５１前から１ｍＡ、１．５ｍＡ、２ｍＡ、２．５ｍＡ、３ｍＡと段階的に制御して最終的に出力１である３ｍＡとする制御でもよい。同図（ａ）のような制御では、使用者は施術終了のＴ５１前から突然有感パルスを感じるようになるが、同図（ｂ）の制御を使用した場合は有感パルスを徐々に感じるようになるので使用者はよりストレスを感じないのでより望ましい。
【００３９】
上記のような制御では、主に第２出力による電気信号を使用するが一時的に第１出力を使用していると言える。このような一時的な有感の出力は出力の開始時又は出力の終了時だけでなく、出力の開始時と終了時の両方で使用することもできる。即ち、図４と図５の制御を併用することもできる。
【００４０】
さらに、上記のような一時的な有感の出力は電気信号の出力開始時と出力の終了時だけでなく、定期的に有感の出力を使用することによって、即ち、第２出力に代えて第１出力を一時的に使用して電気信号を生成することによって、使用者に装置が正常に動作していることと共に時間経過を知らせることもできる。例えば出力が１分継続されるたびに有感の出力を第４パルス群の２回分における第２パルス群で行ってもよい。さらに出力が後続して行われる場合の有感の出力の継続時間を、出力が終了する場合に使用される有感の出力の継続時間と変えることで、例えば１５秒間において有感パルスを使用することで使用者が有感刺激を感じた時に、出力が終了するのか単なる時間経過を示すのか容易に判断できるのでより望ましい。
【００４１】
また、促通モード、抑制モードの出力はユーザーが任意に変更できるようにしてもよい。例えば、５段階の出力レベル調整スイッチを設けて、ユーザーの好みの出力としてもよい。尚、記載したパラメータは一例であって、このパラメータに限定するわけではなく、均等の範囲に及ぶことを注意的に記載しておく。例えば、パルスは正負の成分或いは正負のパルスを持つ場合に限定されず、正パルス又は負パルスのみであってもよく、正負のパルスを使用する場合でもオフセットされて正の成分と負の成分が異なるようなパルスであってもよい。或いは矩形パルスに限らず、三角波等の他の形状のパルスであってもよい。
【符号の説明】
【００４２】
１０  本体
１１  電源スイッチスイッチ１１
１２  スタート／ストップスイッチ１２
１４  導子
１００  電流刺激装置
２０１  ユーザーＩＦ部
２０２  制御部
２０３  バッテリ
２０４  波形生成部
２０６  電源部
２０７  タイマ
【図１】
2019022620.tif 000003
【図２】
2019022620.tif 000004
【図３】
2019022620.tif 000005
【図４】
2019022620.tif 000006
【図５】
2019022620.tif 000007